【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
直列配置されて直列接続されている複数の２次電池を充電するための充電装置であり、
前記２次電池間の電極に接触する検出端子と、
前記検出端子を用いて前記２次電池毎の電極間電圧を検出する検出手段と、
前記２次電池を充電する充電手段と、
前記検出手段から得られる検出信号及び前記充電手段を介して得られる信号に基づいて、前記充電手段に充電開始・停止を指令する制御手段と
を備えたことを特徴とする充電装置。
【請求項２】
前記制御手段は、前記２次電池毎の充電を制御するように構成されている請求項１に記載の充電装置。
【請求項３】
前記制御手段は、２次電池の電極間電圧の情報と１次電池の電極間電圧の情報を予め記憶しており、これらの情報に基づいて、直列配置されて直列接続された電池を判断し、充電開始・停止を指令するように構成されている請求項１に記載の充電装置。
【請求項４】
前記検出端子は、前記２次電池の側面部マイナス側面電極に接触するように構成されていることを特徴とする請求項１に記載の充電装置。
【請求項５】
ディスク状の情報記録媒体を回転することにより情報を再生もしくは記録する電子機器であり、
本体と、
前記本体に配置され、前記ディスク状の情報記録媒体を回転させる駆動手段と、
前記本体に配置され、前記駆動手段に電力供給する複数の電池を直列配置かつ直列接続で収納する電池収納手段と、
前記本体に配置され、前記電池収納手段に収納された電池が２次電池であるとき、前記２次電池間の電極に接触する検出端子、前記検出端子を用いて前記２次電池毎の電極間電圧を検出する検出手段、前記２次電池を充電する充電手段、並びに前記検出手段から得られる検出信号及び前記充電手段を介して得られる信号に基づいて、前記充電手段に充電開始・停止を指令する制御手段を有する充電装置と
を備えたことを特徴とする電子機器。
【請求項６】
前記制御手段は、前記２次電池毎の充電を制御するように構成されている請求項５に記載の電子機器。
【請求項７】
前記制御手段は、２次電池の電極間電圧の情報と１次電池の電極間電圧の情報を予め記憶しており、これらの情報に基づいて、前記電池収納手段に収納された電池を判断し、充電開始・停止を指令するように構成されている請求項５に記載の電子機器。
【請求項８】
前記検出端子は、前記２次電池の側面部マイナス側面電極に接触するように構成されていることを特徴とする請求項５に記載の電子機器。
【手続補正２】
【補正対象書類名】明細書
【補正対象項目名】０００３
【補正方法】変更
【補正の内容】
【０００３】
ここで、２次電池２１０は、一般的にマイナス電極２１０ａ側の側面部の絶縁被覆が剥かれてマイナス側面電極２１０ａａが剥き出しの状態になっており、２次電池検出端子２０５は、直列接続された２本の２次電池２１０，２１０の一端側のマイナス側面電極２１０ａａと接触するように配置されている。
マイクロコンピュータ２０２は、電源ＩＣ２０３、演算増幅器２０４、２次電池検出端子２０５及び電流値検出ＩＣ２０６とそれぞれ接続されている。さらに、電源ＩＣ２０３及び電流値検出ＩＣ２０６は、２本の２次電池２１０，２１０の一端側のマイナス電極２１０ａ及び他端側のプラス電極２１０ｂともそれぞれ接続されており、演算増幅器２０４は、２次電池検出端子２０５とも接続されている。


【手続補正３】
【補正対象書類名】明細書
【補正対象項目名】０００７
【補正方法】変更
【補正の内容】
【０００７】
【発明が解決しようとする課題】
上述したように、従来の充電装置２００では、２次電池検出端子２０５は、２次電池２１０のマイナス側面電極２１０ａａと接触するように構成されており、これにより電池収納部２０１内に並列配置で収納された電池が２次電池であるか否かを判断している。
また、電流値検出ＩＣ２０６は、２本分の２次電池２１０，２１０の電流が流れたときに初めて電流値を検出するように構成されており、これにより２本の２次電池２１０，２１０が直列接続されているか否かを判断している。
従って、この充電装置２００によれば、２次電池２１０，２１０の極性を逆にした充電を防止することができる。


【手続補正４】
【補正対象書類名】明細書
【補正対象項目名】０００８
【補正方法】変更
【補正の内容】
【０００８】
ところが、２次電池検出端子２０５は、直列接続された２本の２次電池２１０，２１０の一端側のマイナス側面電極２１０ａａ、即ち直接接続された２本の２次電池２１０，２１０のうちマイナス側を構成する一方の２次電池２１０のマイナス側面電極２１０ａａとのみ接触するように構成されている。
さらに、電流値検出ＩＣ２０６は、所定値以上の電流、即ち２本分の２次電池２１０，２１０の電流値以上の電流が流れたときに初めて電流値を検出するように構成されている。
このため、他方の電池を２次電池２１０ではなくアルカリ電池等の１次電池としても、その極性さえ誤らなければ即座に充電が開始されることになる。この結果、電池性能が劣化したり、場合によっては電池の液漏れや破裂等が生じるという問題があった。


【手続補正５】
【補正対象書類名】明細書
【補正対象項目名】００１２
【補正方法】変更
【補正の内容】
【００１２】
【課題を解決するための手段】
上記目的は、本発明にあっては、直列配置されて直列接続されている複数の２次電池を充電するための充電装置であり、前記２次電池間の電極に接触する検出端子と、前記検出端子を用いて前記２次電池毎の電極間電圧を検出する検出手段と、前記２次電池を充電する充電手段と、前記検出手段から得られる検出信号及び前記充電手段を介して得られる信号に基づいて、前記充電手段に充電開始・停止を指令する制御手段とを備えることにより達成される。


【手続補正６】
【補正対象書類名】明細書
【補正対象項目名】００１３
【補正方法】変更
【補正の内容】
【００１３】
また、上記目的は、本発明にあっては、ディスク状の情報記録媒体を回転することにより情報を再生もしくは記録する電子機器であり、本体と、前記本体に配置され、前記ディスク状の情報記録媒体を回転させる駆動手段と、前記本体に配置され、前記駆動手段に電力供給する複数の電池を直列配置かつ直列接続で収納する電池収納手段と、前記本体に配置され、前記電池収納手段に収納された電池が２次電池であるとき、前記２次電池間の電極に接触する検出端子、前記検出端子を用いて前記２次電池毎の電極間電圧を検出する検出手段、前記２次電池を充電する充電手段、並びに前記検出手段から得られる検出信号及び前記充電手段を介して得られる信号に基づいて、前記充電手段に充電開始・停止を指令する制御手段を有する充電装置とを備えることにより達成される。


【手続補正７】
【補正対象書類名】明細書
【補正対象項目名】００１６
【補正方法】変更
【補正の内容】
【００１６】
図１は、本発明の充電装置の実施形態を示すブロック構成図である。
この充電装置１００は、電池収納部１０１内に直列配置された２本の２次電池１１０，１１０を直列接続で充電する装置であり、マイクロコンピュータ（制御手段）１０２、電源ＩＣ（Ｉｎｔｅｇｒａｔｅｄ Ｃｉｒｃｕｉｔ）（充電手段）１０３、演算増幅器（Ｏｐｅｒａｔｉｏｎａｌ Ａｍｐｌｉｆｉｒｅ）（検出手段）１０４及び２次電池検出端子（検出端子）１０５を備えている。
ここで、２次電池１１０は、一般的にマイナス電極１１０ａ側の側面部の絶縁被覆が剥かれてマイナス側面電極１１０ａａが剥き出しの状態になっており、２次電池検出端子１０５は、直列接続された２本の２次電池１１０，１１０の間のマイナス側面電極１１０ａａと接触するように配置されている。


【手続補正８】
【補正対象書類名】明細書
【補正対象項目名】００１７
【補正方法】変更
【補正の内容】
【００１７】
マイクロコンピュータ１０２は、電源ＩＣ１０３、演算増幅器１０４とそれぞれ接続されている。さらに、電源ＩＣ１０３は、２本の２次電池１１０，１１０の一端側のマイナス電極１１０ａ及び他端側のプラス電極１１０ｂともそれぞれ接続されており、演算増幅器１０４は、２次電池検出端子１０５とも接続されている。
このような構成の充電装置１００の特徴的な構成部分である演算増幅器１０４及びマイクロコンピュータ１０２について以下に説明する。
演算増幅器１０４は、２次電池検出端子１０５により、電池収納部１０１内に２本の２次電池１１０，１１０が収納されたことを確認することができると共に、一方の２次電池１１０の電極間電圧値を検出することができる。


【手続補正９】
【補正対象書類名】明細書
【補正対象項目名】００２３
【補正方法】変更
【補正の内容】
【００２３】
ここで、図１４に示すように、２次電池１１０，１１０の充電電圧Ｖは、充電時間Ｔの経過と共に上昇し、略１００％の充電状態である充電電圧Ｖｍａｘに達すると低下する。このときの２本の２次電池１１０，１１０の低下電圧−ΔＶは、−ΔＶ検出信号ＣＨＧ ＭＮＴ１として電源ＩＣ１０３を介してマイクロコンピュータ１０２のポート１０２ｂに送出され、各２次電池１１０の低下電圧−ΔＶは、−ΔＶ検出信号ＣＨＧ ＭＮＴ２として２次電池検出端子１０５を介して演算増幅器１０４に送出される。
演算増幅器１０４は、−ΔＶ検出信号ＣＨＧ ＭＮＴ２を受けると、充電停止信号をマイクロコンピュータ１０２のポート１０２ｃに送出する。そして、マイクロコンピュータ１０２は、充電停止信号を受けると、ポート１０２ａをＬとして充電を停止する。